(57)【要約】【課題】ペットのグルーミングにおいて、人力によらず自動にて対応できる装置を提供することを課題とする。【解決手段】垂直に設置した円筒形ブラシを電動にて回転させ、ブラシに備えられたブリスルは効果をアップするために円弧状とし、先端部より梳き始め掻き出すように回転することで、抜け毛も充分除去することができる。ペットの側面に対し、この構造の円筒形ブラシが回転を異にして２基が設置される。  また水平に設置される円筒形ブラシは伝達ロッドと伝達アームを利用し上下可動とすることで大型ペットから小型ペットへと背中のグルーミングを可能とする。【選択図】図２
2018088861.tif 000002
【特許請求の範囲】
【請求項１】
略円弧状となるブリスルを備え、垂直に設置される円筒形ブラシであって、
該円筒形ブラシはペットによる加圧を感知することにより、連結された駆動部の回転機構が作動し、
時計回りの回転と反時計回りの回転との其々１基ずつの円筒形ブラシを備え、
且つ水平に設置される円筒形ブラシは、伝達ロッドと伝達アームとにより昇降可能とすることを特徴とするペットブラッシュ。
【発明の詳細な説明】
【技術分野】
【０００１】
本発明は、犬猫等のグルーミングに用いられるブラシに関する。
【背景技術】
【０００２】
犬や猫のペットは、毛を梳いて手入れをする通称グルーミングと呼ばれる手入れ方法がある。これは元来馬に対し毛並みを整えたり、ノミや寄生虫の除去に行われていた方法であるが、近年は屋内にてペットを飼うため、抜け毛の対策とメンタルケアとの理由からグルーミングは頻繁に行われ、ブラシの種類も多様化している。またリンスやシャンプー等グルーミングのみならず入浴（洗浄）に対しても環境は充実している。
【０００３】
グルーミング用のブラシは現在のところ電動による回転ブラシは流通していない様であるが、頭髪に利用されるものは、例えば特許文献１に記載のようにヘアドライヤーとして多種多様に流通している。
【０００４】
しかしペット用ブラシとしては種類も少なく、例えば特許文献２においては、櫛歯を２種類備え使い分けることができ、掃除機の吸引ホースと継ぎ合わせて抜け毛を除去する構造が開示されている。また特許文献３には、ブラシ本体とブラシ貫通孔を設けたホルダーとを利用することにより、ホルダーを指で押すだけで簡単に抜け毛を除去する構造が開示され、この方法が主流ともいえる。
【０００５】
しかしこれらは何れも人間、飼い主からの目線であって当の本人（犬猫）にとっては最高の状態とはいえない。本出願人も数匹の犬や猫を飼った経験から述べると、犬はあまり神経質ではなく、身体や精神面では扱い易いといえる。
しかし猫の場合は個々の性格（性質）も大きく異なり、その対応も多様性を求められる。例えば「毛繕い」といって、自分で体を舐めて毛並みを整え、抜け毛は呑み込んでしまう。よって体内の抜け毛を早く排泄するための「毛玉ケアフーズ」なるものが流通している。
【０００６】
特に神経質な猫は常に毛繕いを行っているため、見ていても舌が疲れるのではないかと思う程である。また触られることも嫌い、少し触れたりするとすぐその箇所の毛繕いを始める。当然そこかしこで寝転がることもなく狭く汚れた場所に入ってゆくこともない。よってブラッシング（グルーミング）は好きであり、ブラシやコロコロ粘着テープを持つと傍へ寄ってきて横になり、ブラッシングを始めると目を閉じウットリと長い時間ノドを鳴らして寝ているものである。
【０００７】
それに対し、どうしようもない猫もいるので、自分でも毛繕いをする所は見たこともなく、毛はボサボサでゴミや埃が付いていることも多い。掴まえてブラッシングをしても３〜４回で逃げて行ってしまう。どこでもかまわず寝転がり、たんすの隙間や狭い所が好きで常に埃だらけの状態であり、入浴（洗浄）も非常に嫌がる性格である。
【先行技術文献】
【特許文献】
【０００８】
【特許文献１】特開２００４−２４９０２０号公報
【特許文献２】特開平１１−１７８６４３号公報
【特許文献３】特開平０９−１４０２８６号公報
【発明の概要】
【発明が解決しようとする課題】
【０００９】
少し述べただけでも判る様に、人間の行為はすべてのペットと同じ状況を提供するのではなく、逆に癒すつもりがストレスとなっている場合も少なくはない。また気が付かないだけで、テレビの音量や化粧品等の臭いも猫にとっては大きなストレスとなる場合もある。
そこでブラッシング（グルーミング）において個々のペットに対し其々好適な対応のできる形態を提供することを課題とする。
【課題を解決するための手段】
【００１０】
考え方としてはマッサージチェアと同じで、利用者が好みに応じ揉む場所と揉む強さと揉む時間とを選ぶことができる。つまりペットに対しグルーミングマシンを提供することである。これによってペットは好みの場所と強さと時間を選ぶことができる。
よく「猫は喉を撫でると喉をゴロゴロ鳴らして喜ぶ」と言うが、猫は喉と頭と頬とに舌が届かず毛繕いをすることができない。それで喉を撫でられて喜ぶものである。実際頭や頬を撫でられても喉を鳴らす猫は多い。従ってグルーミングマシンによって喉と頭と頬をケアするのは必須といえる。
【００１１】
主な構造は円筒形のブラシを電動にて回転させることである。そこで猫の側面、背中、喉等にブラッシングを可能とする構造として提供する。駆動方法や配置等詳細については形態の項にて説明をする。
【発明の効果】
【００１２】
効果においては、猫がグルーミング時に好むと思われる場所と好みの強さ、そして満足できる時間とを提供することができる。ブラシが当たる強さは、猫自身が体を当てる強さで対応することとなる。これは猫が柱やテーブルの角に頬や体を摺りつけることで推測できるものである。
この装置により猫にとっては飼い主が留守であっても、自身で心と体のケアができるものであり、また毛繕いの際、よくむせて激しい咳をしたり、食べた物を戻すこともあるがこれに対しても効果的である。
【図面の簡単な説明】
【００１３】
【図１】本発明によるペットブラッシュのブラシ体拡大断面見取図
【図２】垂直ブラシ体の正（側）面図
【図３】水平ブラシの体の正面図
【図４】水平ブラシの体の側面図
【図５】本発明によるペットブラッシュのブラシ体配置平面見取図
【発明を実施するための形態】
【００１４】
ブラシ体（１）は、内部にブラシ筒体（４）を備え、ブリスル（２）とブリスル保持体（３）とが、一体若しくは嵌合することでブラシ筒体（４）の外周に備えられる。この構造は全てが一体であってもよく、主に従来のロール型ヘアーブラシに準ずるものである。
【００１５】
しかしグルーミングブラシは猫毛（獣毛等一般対称物）に直角に当たる面積（ブリスルの本数）が多くなり効果は良いものの、ロールブラシは直角に当たる面積は僅かであり効率の悪いものである。また毛髪は毛を梳いて整えるのが主な目的であるのに対し、グルーミングは抜けた毛や抜けそうになった毛を除去するのが大きな目的である、
【００１６】
よってロールブラシの除毛効果を高めるためにブラシ体（１）は図１による円弧状となるブリスル（２）の形状によるものである。回転方向は反時計回りであり、ブリスル（２）は先端より梳き始め、掻き出すように回転し効果的なブラッシングとなる。また材質や密度においてはブリスル（２）の長さ、太さ、硬さにおいて変化するものであり限定されるものではない。
【００１７】
猫の両側面をブラッシングする形態として図２による垂直形のブラシ体（１）であり、駆動部としては電動モータによるところが一般的といえる。駆動部となるモータ（５）は図２によるブラシ体（１）とモータ（５）とが一体となる。回転の伝達部はブラシ体（１）の内部にて連結する方法や、ブラシ体（１）の端部のみにて連結されてもよい。
【００１８】
起動時におけるセンサは、例えばペットがブラシ体（１）に触れ加圧した時に作動する形態が最も適切と考えられる。これは画像センサや温感センサでは利用しない場合にも作動してしまうからである。
【００１９】
そこで加圧時を感知するセンサで起動する訳であるが、猫が利用中であっても加圧し続ける訳ではなく、加圧が弱まる場合も多い。しかしその都度停止したのでは猫も快適に利用することができない。
そこで加圧が弱まった場合でも、例えば１０秒間の自動延長とすることで、この１０秒以内に再び加圧されれば利用状態が継続されてゆくこととなる。また加圧を更に強くすることで回転数を上げる２段階構造や加圧の変化に応じ無段階で回転数が上がる構造も考えられる。
この垂直形のブラシ体（１）の時計回りと反時計回りとの２基が設置されることで猫に対し両側面をグルーミングすることができる。
【００２０】
次に頭部及び背中のグルーミング方法として、図３〜４に示す水平形のブラシ体（１）を利用する。回転方向は図４に示すように背中のグルーミングに対する効果は垂直形と同様といえる。しかし猫の大きさ、つまり身長（体高）の差によって利用しにくい形状となっている。子猫に対する近い形状では大型の猫は利用しにくく、大型の猫用に高い形状では子猫は利用できない。
【００２１】
そこで図４を参照し、床に備えられたベースプレート（１１）に固着されたモータ（５）に、伝達ロッド（６ａ）と伝達アーム（６ｂ）とに支持されたブラシ体（１）が設けられる。モータ（５）の回転は伝達ロッド（６ａ）とロッド回転軸（８ａ）と伝達アーム（６ｂ）とアーム回転軸（８ｂ）とを利用してブラシ体（１）を回転させる。また図１によるブラシ体（１）とモータ（５）とが一体となる形状である。伝達機構はベルト等自明のものである。
【００２２】
この形状とし、伝達アーム（６ｂ）がアーム回動部（７）により回動することでブラシ体（１）の上下動が可能となる。そこで例えば図４がブラシ体（１）の停止位置とし、この位置より下方へは降りない構造とし、猫が頭部を当て加圧した際に起動し回転が始まる。
大型の猫が更に加圧すると、ブラシ体（１）は任意の位置（加圧が弱まる位置）へと上昇する。これはバネの抵抗力を利用してもよいし、ブラシ体（１）がウエイトを備え、その自重に対して猫が押し上げる構造であってもよい。またブラシ体（１）の反対側から利用することで、重要な箇所でもある喉や頬のグルーミングも可能である。
【００２３】
最後に設置について図５を参照し説明する。この図５は見やすくするために、符号の一部を省略している。破線の大きい矢印が猫の進行方向となる。
ブラシ体（１）は回転方向の異なるブラシ体（１）を其々１基ずつ垂直に備え、水平のブラシ体（１）を１基備える。ベースプレート（１１）は適度な重量が必要であり、強度も必要である。猫は爪研ぎを頻繁に行うため、配線にも留意が必要であり、ベースプレート（１１）の裏側か若しくは表側ならば強固な被覆が必要となる。
【符号の説明】
【００２４】
１    ブラシ体
２    ブリスル
３    ブリスル保持体
４    ブラシ筒体
５    モータ
６ａ  伝達ロッド
６ｂ  伝達アーム
７    アーム回動部
８ａ  ロッド回転軸
８ｂ  アーム回転軸
９ａ  補助ロッド
９ｂ  補助アーム
１０  補助フレーム
１１  ベースプレート
１２  固着プレート
【図１】
2018088861.tif 000003
【図２】
2018088861.tif 000004
【図３】
2018088861.tif 000005
【図４】
2018088861.tif 000006
【図５】
2018088861.tif 000007